(57)【特許請求の範囲】
【請求項１】
吸収性コアを含む縦長の吸収性本体と、該吸収性本体の非肌対向面側に配されて該吸収性本体を固定している外包体とを備え、着用時に着用者の腹側に配される腹側部及び背側に配される背側部を本体長手方向に有し、該外包体における該腹側部に位置する外包体腹側領域及び該背側部に位置する外包体背側領域それぞれの本体長手方向に沿う両側縁部どうしが接合されて一対のサイドシール部、ウエスト開口部及び一対のレッグ開口部が形成されているパンツ型吸収性物品であって、
前記外包体は、シート材と、該シート材に固定された複数本の外包体形成用弾性部材とを含んで構成されており、前記外包体背側領域において、複数本の該外包体形成用弾性部材が、本体長手方向と直交する本体幅方向に伸長した状態で、本体長手方向に所定間隔を置いて配されており、
前記吸収性コアにおける前記背側部に位置する吸収性コア背側領域に、本体幅方向に延びる線状の幅方向溝部が形成されており、前記外包体背側領域の前記外包体形成用弾性部材が、該吸収性コア背側領域を本体幅方向に横断しており、
前記外包体背側領域の複数本の前記外包体形成用弾性部材のうちの少なくとも１本は、本体長手方向において前記幅方向溝部と同位置にあるパンツ型吸収性物品。
【請求項２】
前記幅方向溝部は、前記吸収性コアの一面側が他面側に向けて凹陥してなる線状の凹部からなる請求項１記載のパンツ型吸収性物品。
【請求項３】
前記幅方向溝部は、前記吸収性コアを厚み方向に貫通する線状の貫通孔からなる請求項１記載のパンツ型吸収性物品。
【請求項４】
前記吸収性コア背側領域に、前記幅方向溝部が本体長手方向に所定間隔をおいて複数本形成されていると共に、本体長手方向に延びる線状の長手方向溝部が本体幅方向に所定間隔をおいて複数本形成されており、これら複数本の幅方向溝部及び長手方向溝部によって、該吸収性コア背側領域が多数の区画領域に区画化されている請求項１〜３の何れか一項に記載のパンツ型吸収性物品。
【発明の詳細な説明】
【技術分野】
【０００１】
本発明は、パンツ型使い捨ておむつ等のパンツ型吸収性物品に関する。
【背景技術】
【０００２】
従来、吸収性コアを含む縦長の吸収性本体と、該吸収性本体の非肌対向面側に配されて該吸収性本体を固定している外包体とを備えたパンツ型使い捨ておむつにおいて、おむつのずり落ち防止やフィット性、漏れ防止性の向上等の観点から、外包体におけるウエスト部や胴回り部に弾性伸縮性を付与したものが知られている。外包体に弾性伸縮性を付与する場合、実質的に非伸縮性の２枚のシート間に、伸長状態とした糸状又は帯状の弾性部材を接着剤を介して固定し、その弾性部材を収縮させてギャザーを形成する方法が一般的である。
【０００３】
また、本出願人は、先に、肌対向面を形成する表面シート、非肌対向面を形成する裏面シート及び両シート間に介在配置された吸収性コアを具備する吸収性物品において、該吸収性コアを、肌対向面からみた平面視において分立した複数の小吸収部により構成することを提案した（特許文献１参照）。斯かる構成の吸収体を用いることにより、十分な液体の吸収保持量を実現しつつ、柔軟性に富み、肌面の起伏にも極めて良好にフィットし、また動作に対する追従性が高く、着用感を大幅に良化することが可能となる。
【先行技術文献】
【特許文献】
【０００４】
【特許文献１】特開２０１１−１３５９２１号公報
【発明の概要】
【発明が解決しようとする課題】
【０００５】
本出願人は、特許文献１に記載の吸収性物品（平面視において分立した複数の小吸収部により構成された吸収性コアを具備する吸収性物品）の更なる改良を図るべく種々検討した結果、吸収性コアを、該吸収性コアに形成された本体幅方向に延びる線状の幅方向溝部（本体長手方向に隣接する２個の小吸収部間の間隔）と、外包体における背側部に位置する外包体背側領域に配設された弾性部材との関係を考慮の上、適切に配置することにより、該吸収性物品の着用者の背側に対するフィット性を高め、背側からの漏れを一層効果的に防止し得ることを知見した。
【０００６】
従って本発明の課題は、着用者の背側に対するフィット性に優れ、背側からの漏れを効果的に防止し得るパンツ型吸収性物品を提供することにある。
【課題を解決するための手段】
【０００７】
本発明は、前記知見に基づきなされたもので、吸収性コアを含む縦長の吸収性本体と、該吸収性本体の非肌対向面側に配されて該吸収性本体を固定している外包体とを備え、着用時に着用者の腹側に配される腹側部及び背側に配される背側部を本体長手方向に有し、該外包体における該腹側部に位置する外包体腹側領域及び該背側部に位置する外包体背側領域それぞれの本体長手方向に沿う両側縁部どうしが接合されて一対のサイドシール部、ウエスト開口部及び一対のレッグ開口部が形成されているパンツ型吸収性物品であって、前記外包体は、シート材と、該シート材に固定された複数本の外包体形成用弾性部材とを含んで構成されており、前記外包体背側領域において、複数本の該外包体形成用弾性部材が、本体長手方向と直交する本体幅方向に伸長した状態で、本体長手方向に所定間隔を置いて配されており、前記吸収性コアにおける前記背側部に位置する吸収性コア背側領域に、本体幅方向に延びる線状の幅方向溝部が形成されており、前記外包体背側領域の前記外包体形成用弾性部材が、該吸収性コア背側領域を本体幅方向に横断しているパンツ型吸収性物品を提供することにより、前記課題を解決したものである。
【発明の効果】
【０００８】
本発明のパンツ型吸収性物品は、着用者の背側に対するフィット性に優れ、背側からの漏れを効果的に防止し得る。
【図面の簡単な説明】
【０００９】
【図１】図１は、本発明のパンツ型吸収性物品の一実施形態であるパンツ型使い捨ておむつの一例を示す斜視図である。
【図２】図２は、図１に示すおむつを各部の弾性部材を伸長させて平面状に拡げた展開状態を示す肌当接面側（表面シート側）の平面図である。
【図３】図３は、図１に示すおむつの分解斜視図である。
【図４】図４は、図２のＩ−Ｉ線断面（本体幅方向に沿う断面）を模式的に示す断面図である。
【図５】図５は、図２のＩＩ−ＩＩ線断面（本体長手方向に沿う断面）を模式的に示す断面図である。
【図６】図６は、図１に示すおむつにおける吸収性コアと外包体形成用弾性部材との位置関係を説明する図（図２相当図）である。
【図７】図７は、図１に示すおむつの着用状態における背側部を模式的に示す断面図（図４相当図）である。
【発明を実施するための形態】
【００１０】
以下、本発明のパンツ型吸収性物品を、その好ましい一実施形態であるパンツ型使い捨ておむつに基づき図面を参照して説明する。本実施形態のパンツ型使い捨ておむつ１は、図１〜図５に示すように、吸収性コア５を含む縦長の吸収性本体２と、該吸収性本体２の非肌対向面側に配されて該吸収性本体２を固定している外包体３とを備え、着用時に着用者の腹側に配される腹側部Ａ及び背側に配される背側部Ｂ並びにそれらの間に位置し着用者の股間部に配される股下部Ｃを本体長手方向Ｘに有し、外包体３における腹側部Ａに位置する外包体腹側領域（後述する腹側シート部材３１）及び背側部Ｂに位置する外包体背側領域（後述する背側シート部材３２）それぞれの本体長手方向Ｘに沿う両側縁部３ｓ，３ｓどうしが接合されて一対のサイドシール部Ｓ，Ｓ、ウエスト開口部ＷＯ及び一対のレッグ開口部ＬＯ，ＬＯが形成されている。
【００１１】
尚、本明細書において、肌対向面は、パンツ型吸収性物品及びその構成部材（例えば吸収性本体、吸収性コア）における着用時に着用者の肌側に向けられる面であり、非肌対向面は、パンツ型吸収性物品及びその構成部材における着用時に着用者の肌側とは反対側（ショーツ等の着衣側）に向けられる面である。また、本体長手方向は、縦長の吸収性本体の長手方向であり、本体幅方向は、該本体長手方向と直交する方向である。
【００１２】
吸収性本体２は、該吸収性本体２の肌対向面を形成する液透過性の表面シート２１、該吸収性本体２の非肌対向面を形成する液不透過性又は液難透過性の裏面シート２２、及び両シート２１，２２間に介在配置された液保持性の吸収体２３を含んで構成されており、Ｘ方向に長い矩形形状に形成されている。吸収体２３は、パルプ繊維等の繊維の集合体を主体とする吸収性コア５と、該吸収性コア５を被覆するコアラップシート（図示せず）とを含んで構成されている。吸収性コア５には、必要に応じ吸水性ポリマーの粒子が含有される。表面シート２１、裏面シート２２及び吸収体２３は、何れもＸ方向に長い矩形形状であり、表面シート２１及び裏面シート２２が、吸収体２３の長手方向Ｘの両端それぞれから長手方向Ｘの外方に延出した部分において接合され、Ｘ方向に長い矩形形状の吸収性本体２が形成される。
【００１３】
図２及び図４に示すように、吸収性本体２の肌対向面における本体長手方向Ｘに沿う左右両側部には、本体長手方向Ｘに沿って一対の立体ギャザー４，４が配されている。各立体ギャザー４は、着用時に少なくとも股下部Ｃにおいて、着用者の肌側に向かって起立する。各立体ギャザー４は、液抵抗性ないし撥水性の立体ギャザー形成用シート材４１と、該シート材４１に固定された立体ギャザー形成用弾性部材４２とを含んで構成されている。シート材４１は、１枚の帯状シートから形成されており、該シート材４１の本体幅方向Ｙの一端部は、吸収性本体２の吸収体２３と裏面シート２２との間に配され、接着剤（図示せず）によって固定され、該シート材４１の本体幅方向Ｙの他端部は、吸収体２３の上方において、本体長手方向Ｘに延びる折曲線（図示せず）にて本体幅方向Ｙの外方側に折り返され、その折り返しによって相対向したシート間に、弾性部材４２が本体長手方向Ｘに伸長した状態で接着剤を介して固定されて、立体ギャザー４が形成されている。
【００１４】
外包体３は、シート材３５，３６と、該シート材３５，３６に固定された複数本の外包体形成用弾性部材３３とを含んで構成されている。本実施形態における外包体３は、図１〜図３に示すように、着用時に着用者の腹側に配される腹側シート部材３１と背側に配される背側シート部材３２とに分割されている。即ち、本実施形態のパンツ型使い捨ておむつ１は、着用者の腹側に配される腹側シート部材３１（外包体腹側領域）と、着用者の背側に配される背側シート部材３２（外包体背側領域）と、両シート部材３１，３２に架け渡して固定された縦長の吸収性本体２とを備え、両シート部材３１，３２それぞれの本体長手方向Ｘに沿う両側縁部３ｓ，３ｓどうしが接合されて一対のサイドシール部Ｓ，Ｓ、ウエスト開口部ＷＯ及び一対のレッグ開口部ＬＯ，ＬＯが形成されている。サイドシール部Ｓでは、腹側シート部材３１と背側シート部材３２とが、接着剤、ヒートシール、高周波シール、超音波シール等の公知の接合手段によって接合されている。
【００１５】
腹側シート部材３１及び背側シート部材３２は、それぞれ、その非肌対向面（おむつ１の外面）を形成する外層シート材３５と、該外層シート材３５の内面側に配された内層シート材３６と、両シート材３５，３６間に接着剤（図示せず）により固定された複数本の糸状又は帯状の弾性部材３３とを含んで構成されており、図２に示す如きおむつ１の展開状態において、本体幅方向Ｙに長い矩形形状をなしている。両シート材３５，３６間は、所定部位において接着剤（図示せず）によって接合されている。腹側シート部材３１及び背側シート部材３２においては、それぞれ図２に示すように、複数本の弾性部材３３は、本体幅方向Ｙに沿って略直線状に配され、本体幅方向Ｙに伸長した状態で、本体長手方向Ｘに所定間隔を置いて配されている。
【００１６】
外層シート材３５は、図３に示すように、その本体幅方向Ｙの長さは内層シート材３６のそれと同じであるが、本体長手方向Ｘの長さは内層シート材３６のそれよりも長く、そのため、外層シート材３５は、両シート材３５，３６をそれらの本体長手方向Ｘの内方端３５ｂ，３６ｂが一致するように積層させた場合に、内層シート材３６の本体長手方向Ｘの外方端３６ａから本体長手方向Ｘの外方へ延出する、延出部３５Ｅを有している。腹側シート部材３１及び背側シート部材３２の外層シート材３５の延出部３５Ｅは、それぞれ図２及び図５に示すように、内層シート材３６側に折り返されており、その折り返しによって相対向したシート３５（３５Ｅ），３６間に、吸収性本体２の本体長手方向Ｘの端部が配されている。相対向するシート３５（３５Ｅ），３６間は、所定の部位において接着剤（図示せず）によって接合されている。
【００１７】
腹側部Ａ（腹側シート部材３１）及び背側部Ｂ（背側シート部材３２）それぞれにおけるウエスト部Ｄには、外層シート材３５と内層シート材３６との間に弾性部材３３が伸長状態で固定されていることによって、ウエストギャザーが形成されている。腹側部Ａのウエスト部Ｄの弾性部材３３及び背側部Ｂのウエスト部Ｄの弾性部材３３は、図３に示すように、腹側部Ａ又は背側部Ｂの本体幅方向Ｙの全長に亘って連続的に延びており、その全体に亘って本来有する伸縮性を発現可能になされている。ウエスト部Ｄは、着用者の腰回りに位置する部位であり、通常、おむつ１の腹側部Ａにおける本体長手方向Ｘの外方端１ａ及びおむつ１の背側部Ｂにおける本体長手方向Ｘの外方端１ｂそれぞれから該おむつ１の本体長手方向Ｘの全長の１〜１５％の長さまでの領域である。
【００１８】
また、腹側部Ａ（腹側シート部材３１）及び背側部Ｂ（背側シート部材３２）それぞれにおける胴回り部Ｅには、外層シート材３５と内層シート材３６との間に弾性部材３３が伸長状態で固定されていることによって、胴回りギャザーが形成されている。腹側部Ａの胴回り部Ｅは、図２に示すようにおむつ１を、その各部の弾性部材を伸長させて平面状に拡げた展開状態とし、腹側部Ａを上側、背側部Ｂを下側と考えた場合に、ウエスト部Ｄよりも下方に位置し且つ股下部Ｃよりも上方に位置する領域である。背側部Ｂの胴回り部Ｅは、おむつ１を図２に示すものとは上下逆にした場合に、腹側部Ａにおける胴回り部Ｅと略同位置にある領域である。
【００１９】
本実施形態においては、腹側部Ａ（腹側シート部材３１）の胴回り部Ｅの弾性部材３３は、図３に示すように、吸収性本体２（吸収性コア５）と重なる部分に、該弾性部材３３の伸縮性の発現が抑制された非伸縮部３４を有しており、それによって部分的に伸縮性の発現が抑えられている。腹側部Ａの胴回り部Ｅの弾性部材３３においては、非伸縮部３４は伸縮しないが、非伸縮部３４以外の他の部分（吸収性本体２の本体幅方向Ｙの外方に位置する部分）は伸縮する。従って、腹側部Ａの胴回り部Ｅにおいては、吸収性本体２の配置領域を除く、本体長手方向Ｘに沿う左右両側部に、一対の胴回りギャザーが形成されている。
【００２０】
このように、弾性部材３３が吸収性本体２（吸収性コア５）と重なる部分に非伸縮部３４を有していることにより、吸収性本体２に縦皺を生じさせることなく吸収性本体２の本体長手方向Ｘの端部を着用者の身体に沿わせることが可能となり、それによって、漏れが効果的に防止されると共に、吸収性本体２に生じた皺の頂部が肌に当たることに起因する跡付き等の不都合が効果的に防止される。非伸縮部３４の形成方法としては、この種の使い捨ておむつにおいて通常用いられている方法を特に制限無く用いることができ、例えば、弾性部材３３を細かく分断して伸縮しないようにする方法、あるいは接着剤等を用いた接合によって弾性部材３３が伸縮しないようにする方法等が挙げられる。
【００２１】
一方、背側部Ｂ（背側シート部材３２）の胴回り部Ｅの弾性部材３３は、図３に示すように、腹側部Ａ及び背側部Ｂのウエスト部Ｄの弾性部材３３と同様に、背側部Ｂの本体幅方向Ｙの全長に亘って連続的に延びており、その全体に亘って本来有する伸縮性を発現可能になされている。
【００２２】
吸収体２３を構成する吸収性コア５について説明すると、図５及び図６に示すように、吸収性コア５における背側部Ｂに位置する吸収性コア背側領域５２には、本体幅方向Ｙに延びる線状の幅方向溝部６が形成されており、背側シート部材３２（外包体背側領域）の弾性部材３３が吸収性コア背側領域５２を本体幅方向Ｙに横断している。
【００２３】
本実施形態においては、幅方向溝部６は、図６に示すように、背側部Ｂ（吸収性コア背側領域５２）のみならず、腹側部Ａ（吸収性コア５における腹側部Ａに位置する吸収性コア腹側領域５１）及び股下部Ｃ（吸収性コア５における股下部Ｃに位置する吸収性コア股下領域５３）にも形成されており、吸収性コア５の各領域５１〜５３それぞれの本体幅方向Ｙの中央部に、本体長手方向Ｘに所定間隔をおいて複数本形成されている。吸収性コア腹側領域５１には、該吸収性コア腹側領域５１を本体幅方向Ｙに横断する弾性部材３３と同数（本実施形態では６本）の幅方向溝部６が形成されており、また、吸収性コア背側領域５２には、該吸収性コア背側領域５２を本体幅方向Ｙに横断する弾性部材３３と同数（本実施形態では６本）の幅方向溝部６が形成されている。
【００２４】
本実施形態においては、複数本の幅方向溝部６は、それぞれ図５に示すように、吸収性コア５の一面側（非肌対向面側、裏面シート２２との対向面側）が他面側（肌対向面側、表面シート２１との対向面側）に向けて凹陥してなる線状の凹部からなる。ここで、「線状」とは、溝部（凹陥部）の形状が図６に示す如き平面視において直線に限られず、曲線を含み、各線は、連続線でも破線でも良い。本実施形態においては、複数本の幅方向溝部６は、それぞれ図６に示すように、本体幅方向Ｙに延びる連続直線状である。
【００２５】
また、本実施形態においては、図６に示すように、吸収性コア背側領域５２には、本体幅方向Ｙに延びる線状の幅方向溝部６が本体長手方向Ｘに所定間隔をおいて複数本形成されていると共に、本体長手方向Ｘに延びる線状の長手方向溝部７が本体幅方向Ｙに所定間隔をおいて複数本（本実施形態では６本）形成されている。複数本の長手方向溝部７は、それぞれ幅方向溝部６と同様に、吸収性コア５の一面側（非肌対向面側、裏面シート２２との対向面側）が他面側（肌対向面側、表面シート２１との対向面側）に向けて凹陥してなる線状の凹部からなる。複数本の長手方向溝部７は、それぞれ図６に示すように、吸収性コア腹側領域５１（腹側部Ａ）から吸収性コア股下領域５３（股下部Ｃ）を通って吸収性コア背側領域５２（背側部Ｂ）に亘って連続的に延びる連続直線状であり、吸収性コア５の本体幅方向Ｙの中央部に形成されている。
【００２６】
このように、吸収性コア５には、その非肌対向面（裏面シート２２との対向面）側に本体幅方向Ｙに延びる幅方向溝部６と本体長手方向に延びる長手方向溝部７とがそれぞれ複数本形成されており、これら複数本の溝部６，７によって、図６に示すように、吸収性コア５の各領域５１〜５３の本体幅方向Ｙの中央部が多数の区画領域８に区画化されている。各区画領域８は、格子状に形成された溝部６，７の格子の目の部分に相当し、図６に示す如き平面視において四角形形状をなしている。
【００２７】
吸収性コア５において、区画領域８（溝部６，７が形成されていない部位）は、パルプ繊維等の吸収性コア形成材料が溝部６，７の形成部位に比して多い、高坪量部からなり、溝部６，７の形成部位は、吸収性コア形成材料が区画領域８に比して少ない、低坪量部からなる。ここで、「溝部の形成部位」とは、吸収性コア５において、線状の凹部からなる溝部６，７の、該凹部の底部を形成している部位であり、溝部６については、図５中符号６０で示す部位である。即ち、線状の凹部からなる溝部６，７は、それぞれ、吸収性コア５の厚み方向において「溝部の形成部位」（低坪量部）と同位置にある、空間部である。
【００２８】
区画領域８（高坪量部）は溝部６，７の形成部位（低坪量部）に比して厚みが大きく（図５参照）、そのため、吸収性コア５は、区画領域８が溝部６，７の形成部位に比して隆起した凹凸構造を有している。吸収性コア５がこのような凹凸構造を有していると、凹凸構造を有しておらず肌対向面及び非肌対向面の何れも略平坦な場合に比して、おむつ１の着用時に吸収性コア５（吸収体２３）の変形が誘導され易く、おむつ１の着用者の身体に対するフィット性が向上する。
【００２９】
また、図５に示す如き吸収性コア５の断面視において、溝部６，７の形成部位（低坪量部）は、吸収性コア５の厚み方向に偏在している。より具体的には、溝部６，７の形成部位（溝部６については図５中符号６０で示す部位）は、図５に示すように、吸収性コア５の厚み方向（図５の上下方向）において、肌対向面（表面シート２１との対向面）側に偏在している。そして、溝部６，７の形成部位がこのように吸収性コア５の厚み方向において肌対向面側に偏在していることにより、区画領域８（高坪量部）は、吸収性コア５の非肌対向面（裏面シート２２との対向面）側に突出している。従って、吸収性コア５においては、該吸収性コア５の肌対向面は、実質的に凹凸が無く略平坦であるのに対し、該吸収性コア５の非肌対向面は、突出形成された区画領域８（高坪量部）とこれを包囲するように形成された溝部６，７とによる凹凸を有している。
【００３０】
溝部６，７は、吸収性コア５にエンボス加工（熱を伴うか又は伴わないエンボスあるいは超音波エンボス等）を施すことによって形成された、いわゆるエンボス溝ではなく、積繊装置を用いた公知の吸収性コアの製造方法において、パルプ繊維等の吸収性コア形成材料の積繊量を部分的に異ならせることによって形成されたものである。この公知の吸収性コアの製造方法は、空気流に乗せて供給した吸収性コア形成材料を、積繊装置（回転ドラム等）の外面に形成された集積用凹部の底部に吸引堆積させる方法である。斯かる吸収性コアの製造方法（吸収性コア形成材料の積繊方法）において、集積用凹部の底部の開孔率を部分的に異ならせる等して、該凹部の吸引力を部分的に異ならせることにより、吸収性コア形成材料の積繊量を部分的に異ならせることが可能となり、そうして得られた吸収性コア５において、該積繊量が相対的に少ない部位が、線状の凹部からなる溝部６，７の形成部位（低坪量部）となり、該積繊量が相対的に多い部位が、区画領域８をはじめとする、溝部６，７の形成部位以外の部位（高坪量部）となる。
【００３１】
本実施形態のパンツ型使い捨ておむつ１の主たる特長の１つとして、図５及び図６に示すように、背側シート部材３２（外包体背側領域）の弾性部材３３が、本体幅方向Ｙに延びる線状の幅方向溝部６を有する吸収性コア背側領域５２を、本体幅方向Ｙに横断している点が挙げられる。本実施形態においては、背側シート部材３２の胴回り部Ｅ（図２参照）に配されている複数本（６本）の弾性部材３３の全てが、吸収性コア背側領域５２を本体幅方向Ｙに横断している。
【００３２】
図５及び図６に示すように、おむつ１の自然状態あるいは展開状態において、背側シート部材３２の複数本の弾性部材３３のうちの少なくとも1本は、本体長手方向Ｘにおいて吸収性コア背側領域５２の幅方向溝部６と同位置にある。本実施形態においては、背側シート部材３２の胴回り部Ｅに配されている複数本（６本）の弾性部材３３の全てが、吸収性コア背側領域５２の複数本（６本）の幅方向溝部６と本体長手方向Ｘにおいて同位置にあり、背側部Ｂにおいて、複数本の弾性部材３３と複数本の幅方向溝部６とが１対１で対応している。
【００３３】
本実施形態のおむつ１は、斯かる特長的な構成を具備していることにより、着用者の背側に対するフィット性に優れ、背側からの漏れを効果的に防止することができる。即ち、おむつ１を常法通りに着用した場合、その着用状態においては、図７に示すように、背側部Ｂにおいては、吸収性コア背側領域５２を本体幅方向Ｙに横断している弾性部材３３の収縮力により、吸収性コア背側領域５２が着用者の肌１００側へ強く押圧され、それによって、吸収性本体２の肌対向面（表面シート２１）が肌１００にフィット性良く密着した状態となる。そのため、例えば、おむつ１の着用者が仰向けに寝ている状態で尿等の排泄液を股下部Ｃに排泄した場合に、その排泄液が表面シート２等を伝って本体長手方向Ｘに沿って背側部Ｂ側に流れてきても、弾性部材３３の収縮力によって肌１００にフィット性良く密着している吸収性本体２によって、排泄液は堰き止められ、排泄液の本体長手方向Ｘへの移動が抑制されるため、背側からの漏れを効果的に防止することができる。また、おむつ１によれば、斯かる吸収性本体２による液の堰き止め効果により、便の拡がりが効果的に抑制されるため、漏れが効果的に防止される。
【００３４】
特に本実施形態においては、図５及び図６に示すように、背側シート部材３２（外包体背側領域）の複数本の弾性部材３３のうちの少なくとも1本が、本体長手方向Ｘにおいて吸収性コア背側領域５２の幅方向溝部６と同位置にあるため、おむつ１の着用状態において、図７に示すように、収縮した弾性部材３３が、それと本体長手方向Ｘにおいて同位置にある幅方向溝部６内に入り込み、幅方向溝部６の形成部位６０（低坪量部）を着用者の肌１００側へ強く押圧する。このような、吸収性コア５の低坪量部を介しての肌１００側への押圧力は、高坪量部である区画領域８を介しての肌１００側への押圧力に比して強力であるため、前述した漏れ防止効果が一層確実に奏される。
【００３５】
前述した作用効果をより確実に奏させるようにする観点から、おむつ１の各部の寸法等は次のように設定することが好ましい。
幅方向溝部６の幅Ｗ１（図５参照）は、好ましくは１ｍｍ以上、更に好ましくは２ｍｍ以上、そして、好ましくは２０ｍｍ以下、更に好ましくは１０ｍｍ以下、より具体的には、好ましくは１〜２０ｍｍ、更に好ましくは２〜１０ｍｍである。長手方向溝部７の幅は、幅方向溝部６の幅Ｗ１と同様に設定することができる。
本体長手方向Ｘに隣接する２本の幅方向溝部６，６の間隔Ｗ２（図６参照）は、好ましくは５ｍｍ以上、更に好ましくは１０ｍｍ以上、そして、好ましくは３０ｍｍ以下、更に好ましくは２５ｍｍ以下、より具体的には、好ましくは５〜３０ｍｍ、更に好ましくは１０〜２５ｍｍである。本体幅方向Ｙに隣接する２本の長手方向溝部７，７の間隔Ｗ３（図６参照）は、好ましくは３ｍｍ以上、更に好ましくは８ｍｍ以上、そして、好ましくは３０ｍｍ以下、更に好ましくは２５ｍｍ以下、より具体的には、好ましくは３〜３０ｍｍ、更に好ましくは８〜２５ｍｍである。また、２本の幅方向溝部６，６の間隔Ｗ２と長手方向溝部７，７の間隔Ｗ３は同様の寸法に設定することができる。
弾性部材３３の直径Ｒと幅方向溝部６の幅Ｗ１との比（Ｒ／Ｗ１）は、好ましくは０．００４〜０．０５、更に好ましくは０．００５〜０．０４である。
【００３６】
吸収性コア背側領域５２（背側部Ｂ）における幅方向溝部６の本数は、好ましくは３本以上、更に好ましくは５本以上、そして、好ましくは２０本以下、更に好ましくは１５本以下、より具体的には、好ましくは３〜２０本、更に好ましくは５〜１５本である。吸収性コア腹側領域５１（腹側部Ａ）における幅方向溝部６の本数は、吸収性コア背側領域５２（背側部Ｂ）における幅方向溝部６の本数と同様に設定することができる。
吸収性コア背側領域５２（背側部Ｂ）における長手方向溝部７の本数は、好ましくは３本以上、更に好ましくは５本以上、そして、好ましくは１０本以下、更に好ましくは７本以下、より具体的には、好ましくは３〜１０本、更に好ましくは３〜７本である。吸収性コア腹側領域５１（腹側部Ａ）及び吸収性コア股下領域５３（股下部Ｃ）における長手方向溝部７の本数は、吸収性コア背側領域５２（背側部Ｂ）における長手方向溝部７の本数と同様に設定することができる。
【００３７】
吸収性コア５における区画領域８（高坪量部）の坪量Ｓ１は、好ましくは２００ｇ／ｍ2以上、更に好ましくは３００ｇ／ｍ2以上、そして、好ましくは９００ｇ／ｍ2以下、更に好ましくは８００ｇ／ｍ2以下、より具体的には、好ましくは２００〜９００ｇ／ｍ2、更に好ましくは３００〜８００ｇ／ｍ2である。
吸収性コア５における線状の凹部からなる溝部６，７の形成部位（低坪量部。溝部６については図５中符号６０で示す部位。）の坪量Ｓ２は、好ましくは１０ｇ／ｍ2以上、更に好ましくは５０ｇ／ｍ2以上、そして、好ましくは５００ｇ／ｍ2以下、更に好ましくは４００ｇ／ｍ2以下、より具体的には、好ましくは１０〜５００ｇ／ｍ2、更に好ましくは５０〜４００ｇ／ｍ2である。
溝部６，７の形成部位（低坪量部）の坪量Ｓ２は、区画領域８（高坪量部）の坪量Ｓ１に対しての割合（Ｓ２／Ｓ１）が，その下限値が好ましくは１％であり、更に好ましくは３％であり、上限値は好ましくは８０％であり、更に好ましくは７０％である。
線状の凹部からなる溝部６，７の深さは、好ましくは１．５ｍｍ以上、更に好ましくは３ｍｍ以上、そして、好ましくは１４ｍｍ以下、更に好ましくは１０ｍｍ以下、より具体的には、好ましくは１．５〜１４ｍｍ、更に好ましくは３〜１０ｍｍである。
区画領域（高坪量部）の坪量Ｓ１及び溝部６，７の形成部位（低坪量部）の坪量Ｓ２並びに溝部６，７の深さは、それぞれ、以下のようにして測定される。
【００３８】
＜坪量の測定方法＞
測定対象物（吸収性コア５）における区画領域８（高坪量部）と溝部６，７の形成部位（低坪量部）との境界線に沿って、フェザー社製の片刃剃刀を用いて、区画領域８（高坪量部）の小片を切り出す。切り出された区画領域８（高坪量部）の小片について、重量を電子天秤（Ａ＆Ｄ社製電子天秤ＧＲ−３００、精度：小数点以下４桁）を用いて測定する。求めた重量を区画領域８（高坪量部）の小片の面積で除して小片の坪量を算出する。小片５個の坪量の平均を区画領域８（高坪量部）の坪量とする。
また、区画領域８（高坪量部）と溝部６，７の形成部位（低坪量部）との境界線に沿って、フェザー社製の片刃剃刀を用いて、細いストライプ状の溝部６，７の形成部位（低坪量部）の小片を切り出す。この溝部６，７の形成部位（低坪量部）の小片の切り出し作業において、本体長手方向Ｘの切断長さは５０ｍｍとし、本体幅方向Ｙの切断幅は、溝部６，７の形成部位（低坪量部）の幅の設計寸法に合わせる。切り出された溝部６，７の形成部位（低坪量部）の小片について、重量を電子天秤（Ａ＆Ｄ社製電子天秤ＧＲ−３００、精度：小数点以下４桁）を用いて測定する。求めた重量を溝部６，７の形成部位（低坪量部）の小片の面積で除して小片の坪量を算出する。小片５個の坪量の平均を溝部６，７の形成部位（低坪量部）の坪量とする。
【００３９】
＜溝部の深さの測定方法＞
測定対象物（吸収性コア５）を所定のサイズにカットして測定サンプルを得、該測定サンプルの測定箇所（溝部６，７）及びその周辺領域を５ｋＰａで１０分間加圧し、除重後すぐに以下の方法で、測定箇所における溝部６，７の深さの測定を行う。測定箇所は、測定サンプル１枚あたり３点以上とし、測定サンプル２枚（測定箇所６点以上）の平均を溝部６，７の深さとする。例えば測定サンプルを、フェザー社製刃剃刀で、図２に示す本体長手方向Ｘ又は本体幅方向Ｙに切断し、この切断されたサンプルの断面について、溝部６，７の深さを測定する。肉眼にて測定し難い場合には、前記切断されたサンプルの断面を、例えば、マイクロスコープ（ＫＥＹＥＮＣＥ社製ＶＨＸ−１０００）を用いて２０〜１００倍の倍率で観察し、その拡大断面について測定してもよい。
【００４０】
おむつ１の形成材料について説明すると、吸収性本体２を構成する表面シート２１、裏面シート２２及び吸収体２３（吸収性コア５、コアラップシート）、外包体３を構成する外層シート材３５及び内層シート材３６、並びに立体ギャザー４を形成するシート材４１としては、それぞれ、通常、使い捨ておむつ等の吸収性物品に用いられるものであれば、特に制限なく用いることができる。例えば、表面シート２１としては、親水性且つ液透過性の不織布等を用いることができ、裏面シート２２としては、液不透過性又は撥水性の樹脂フィルムや樹脂フィルムと不織布の積層体等を用いることができる。吸収性コアの形成材料としては、パルプ繊維等の繊維材料や粒子状等の各種形状の吸水性ポリマーを用いることができ、コアラップシートとしては、ティッシュペーパー等の紙や各種不織布、開孔フィルム等の液透過性のシートを用いることができる。外層シート材３５及び内層シート材３６としては、エアスルー不織布、スパンレース不織布、スパンボンド不織布、メルトブローン不織布等の不織布を用いることができる。立体ギャザー４を形成するシート材４１としては、伸縮性のフィルム、不織布、織物又はそれらの積層シート等を用いることができる。
【００４１】
外包体形成用弾性部材３３及び立体ギャザー形成用弾性部材４２としては、例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状又は帯状の伸縮性材料を用いることができる。
【００４２】
以上、本発明をその好ましい実施形態に基づき説明したが、本発明は前記実施形態に制限されない。例えば、前記実施形態においては、幅方向溝部６及び長手方向溝部７は、それぞれ、吸収性コア５の一面（非肌対向面）側が他面（肌対向面）側に向けて凹陥してなる線状の凹部から形成されていたが、吸収性コア５を厚み方向に貫通する線状の貫通孔（図示せず）から形成されていても良い。また、両溝部６，７のうちの一方が線状の凹部から形成され、他方が線状の貫通孔から形成されていても良い。幅方向溝部６が線状の貫通孔から形成されている場合、図７に示す如きおむつ１の着用状態において、収縮した弾性部材３３は、それと本体長手方向Ｘにおいて同位置にある該貫通孔（幅方向溝部６）内に入り込み、該貫通孔の肌対向面側（表面シート２１側）の開孔端を被覆する、表面シート２１を、着用者の肌１００側へ強く押圧する。斯かる場合でも、前記実施形態と同様の効果が奏される。
【００４３】
また、前記実施形態においては、吸収性コア背側領域５２を本体幅方向Ｙに横断する複数本の弾性部材３３の全てが、該吸収性コア背側領域５２の複数本の幅方向溝部６と本体長手方向Ｘにおいて同位置にあり、背側部Ｂにおいて、複数本の弾性部材３３と複数本の幅方向溝部６とが１対１で対応していたが、本発明においては、背側シート部材３２（外包体背側領域）の弾性部材３３が吸収性コア背側領域５２を本体幅方向Ｙに横断していれば良く、前記実施形態に制限されない。例えば、１）吸収性コア背側領域５２を本体幅方向Ｙに横断する複数本の弾性部材３３の全てが、該吸収性コア背側領域５２の複数本の幅方向溝部６と本体長手方向Ｘにおいて同位置に無くても良く、あるいは２）弾性部材３３と幅方向溝部６とが本体長手方向Ｘにおいて同位置にある箇所と、弾性部材３３と幅方向溝部６とが本体長手方向Ｘにおいて同位置に無い箇所とが、背側部Ｂに混在していても良い。
【００４４】
また、前記実施形態においては、外包体３が腹側シート部材３１と背側シート部材３２とに分割されており、吸収性本体２が両シート部材３１，３２に架け渡して固定されていたが、本発明のパンツ型吸収性物品は、斯かる構成に限定されず、例えば、外包体が、腹側部と背側部とで分割されずに、腹側部、股下部及び背側部に亘る砂時計状等の外包体であっても良い。
【００４５】
また、前記実施形態においては、腹側部Ａ（腹側シート部材３１）の胴回り部Ｅの弾性部材３３は、吸収性本体２（吸収性コア５）と重なる部分に、該弾性部材３３の伸縮性の発現が抑制された非伸縮部３４を有していたが、背側部Ｂ（背側シート部材３２）の胴回り部Ｅの弾性部材３３と同様に、非伸縮部３４を有さずに、腹側部Ａの本体幅方向Ｙの全長に亘って連続的に延び、その全体に亘って本来有する伸縮性を発現可能になされていても良い。その場合、前述したように、吸収性コア腹側領域５１は吸収性コア背側領域５２と同様に構成されているため、おむつ１は、着用者の背側のみならず、腹側に対するフィット性にも優れ、腹側からの漏れも効果的に防止することができるものとなる。
【００４６】
前記実施形態に関し、更に以下の付記（パンツ型吸収性物品）を開示する。
【００４７】
＜１＞  吸収性コアを含む縦長の吸収性本体と、該吸収性本体の非肌対向面側に配されて該吸収性本体を固定している外包体とを備え、着用時に着用者の腹側に配される腹側部及び背側に配される背側部を本体長手方向に有し、該外包体における該腹側部に位置する外包体腹側領域及び該背側部に位置する外包体背側領域それぞれの本体長手方向に沿う両側縁部どうしが接合されて一対のサイドシール部、ウエスト開口部及び一対のレッグ開口部が形成されているパンツ型吸収性物品であって、
前記外包体は、シート材と、該シート材に固定された複数本の外包体形成用弾性部材とを含んで構成されており、前記外包体背側領域において、複数本の該外包体形成用弾性部材が、本体長手方向と直交する本体幅方向に伸長した状態で、本体長手方向に所定間隔を置いて配されており、
前記吸収性コアにおける前記背側部に位置する吸収性コア背側領域に、本体幅方向に延びる線状の幅方向溝部が形成されており、前記外包体背側領域の前記外包体形成用弾性部材が、該吸収性コア背側領域を本体幅方向に横断しているパンツ型吸収性物品。
【００４８】
＜２＞  前記吸収性本体は、該吸収性本体の肌対向面を形成する液透過性の表面シート、該吸収性本体の非肌対向面を形成する液不透過性又は液難透過性の裏面シート、及び両シート間に介在配置された液保持性の吸収体を含んで構成されている前記＜１＞記載のパンツ型吸収性物品。
＜３＞  前記外包体腹側領域及び前記外包体背側領域は、それぞれ、その非肌対向面を形成する外層シート材と、該外層シート材の内面側に配された内層シート材と、両シート材間に接着剤により固定された複数本の糸状又は帯状の前記外包体形成用弾性部材とを含んで構成されている前記＜１＞又は＜２＞記載のパンツ型吸収性物品。
＜４＞  前記外包体形成用弾性部材は、伸長状態で前記両シート材間に固定されている前記＜３＞記載のパンツ型吸収性物品。
【００４９】
＜５＞  前記外包体背側領域の複数本の前記外包体形成用弾性部材のうちの少なくとも1本は、本体長手方向において前記幅方向溝部と同位置にある前記＜１＞〜＜４＞の何れか１に記載のパンツ型吸収性物品。
＜６＞  前記外包体背側領域の胴回り部に配されている複数本の前記外包体形成用弾性部材の全てが、前記吸収性コア背側領域の複数本の前記幅方向溝部と本体長手方向において同位置にある前記＜１＞〜＜５＞の何れか１に記載のパンツ型吸収性物品。
＜７＞  前記背側部において、複数本の前記外包体形成用弾性部材と複数本の前記幅方向溝部とが１対１で対応している前記＜１＞〜＜６＞の何れか１に記載のパンツ型吸収性物品。
＜８＞  前記外包体形成用弾性部材と前記幅方向溝部とが本体長手方向において同位置にある箇所と、該外包体形成用弾性部材と該幅方向溝部とが本体長手方向において同位置に無い箇所とが、前記背側部に混在している前記＜１＞〜＜５＞の何れか１に記載のパンツ型吸収性物品。
【００５０】
＜９＞  前記幅方向溝部は、前記吸収性コアの一面側が他面側に向けて凹陥してなる線状の凹部からなる前記＜１＞〜＜８＞の何れか１に記載のパンツ型吸収性物品。
＜１０＞  前記幅方向溝部は、前記吸収性コアの非肌対向面側（前記裏面シートとの対向面側）が肌対向面側（前記表面シートとの対向面側）に向けて凹陥している前記＜９＞記載のパンツ型吸収性物品。
＜１１＞  前記吸収性コアにおいて、前記幅方向溝部が形成されていない部位（幅方向溝部非形成部）は、吸収性コア形成材料が該幅方向溝部の形成部位に比して多い、高坪量部からなり、該幅方向溝部の形成部位は、吸収性コア形成材料が該幅方向溝部非形成部に比して少ない、低坪量部からなる前記＜９＞又は＜１０＞記載のパンツ型吸収性物品。
＜１２＞  前記幅方向溝部は、前記吸収性コアを厚み方向に貫通する線状の貫通孔からなる前記＜１＞〜＜８＞の何れか１に記載のパンツ型吸収性物品。
【００５１】
＜１３＞  前記吸収性コア背側領域に、前記幅方向溝部が本体長手方向に所定間隔をおいて複数本形成されていると共に、本体長手方向に延びる線状の長手方向溝部が本体幅方向に所定間隔をおいて複数本形成されており、これら複数本の幅方向溝部及び長手方向溝部によって、該吸収性コア背側領域が多数の区画領域に区画化されている前記＜１＞〜＜１２＞の何れか１に記載のパンツ型吸収性物品。
＜１４＞  複数本の前記長手方向溝部は、それぞれ、吸収性コア腹側領域（前記吸収性コアにおける前記腹側部に位置する領域〕（前記腹側部）から吸収性コア股下領域〔前記吸収性コアにおける股下部（前記腹側部と前記背側部との間に位置し着用者の股間部に配される部位）に位置する領域〕（前記股下部）を通って前記吸収性コア背側領域（前記背側部）に亘って連続的に延びる連続直線状に形成されている前記＜１３＞記載のパンツ型吸収性物品。
＜１５＞  複数本の前記長手方向溝部は、前記吸収性コアの本体幅方向の中央部に形成されている前記＜１３＞又は＜１４＞記載のパンツ型吸収性物品。
＜１６＞前記幅方向溝部及び前記長手方向溝部は、それぞれ、吸収性コア形成材料の積繊量を部分的に異ならせることによって形成されたものである前記＜１３＞〜＜１５＞の何れか１に記載のパンツ型吸収性物品。
＜１７＞前記吸収性コアにおける高坪量部（前記区画領域。前記幅方向溝部及び前記長手方向溝部が形成されていない部位。）の坪量は、好ましくは２００ｇ／ｍ2以上、更に好ましくは３００ｇ／ｍ2以上、そして、好ましくは９００ｇ／ｍ2以下、更に好ましくは８００ｇ／ｍ2以下、より具体的には、好ましくは２００〜９００ｇ／ｍ2、更に好ましくは３００〜８００ｇ／ｍ2である前記＜１３＞〜＜１６＞の何れか１に記載のパンツ型吸収性物品。
＜１８＞前記吸収性コアにおける低坪量部（前記吸収性コアにおける、線状の前記凹部からなる前記幅方向溝部及び前記長手方向溝部の形成部位）の坪量は、好ましくは１０ｇ／ｍ2以上、更に好ましくは５０ｇ／ｍ2以上、そして、好ましくは５００ｇ／ｍ2以下、更に好ましくは４００ｇ／ｍ2以下、より具体的には、好ましくは１０〜５００ｇ／ｍ2、更に好ましくは５０〜４００ｇ／ｍ2である前記＜１３＞〜＜１７＞の何れか１に記載のパンツ型吸収性物品。
【００５２】
＜１９＞前記幅方向溝部の幅は、好ましくは１ｍｍ以上、更に好ましくは２ｍｍ以上、そして、好ましくは２０ｍｍ以下、更に好ましくは１０ｍｍ以下、より具体的には、好ましくは１〜２０ｍｍ、更に好ましくは２〜１０ｍｍである前記＜１＞〜＜１８＞の何れか１に記載のパンツ型吸収性物品。
＜２０＞本体長手方向に隣接する２本の前記幅方向溝部の間隔は、好ましくは５ｍｍ以上、更に好ましくは１０ｍｍ以上、そして、好ましくは３０ｍｍ以下、更に好ましくは２５ｍｍ以下、より具体的には、好ましくは５〜３０ｍｍ、更に好ましくは１０〜２５ｍｍである前記＜１＞〜＜１９＞の何れか１に記載のパンツ型吸収性物品。
＜２１＞前記外包体腹側領域（前記腹側部）の胴回り部に配されている前記外包体形成用弾性部材は、前記吸収性本体（前記吸収性コア）と重なる部分に、該外包体形成用弾性部材の伸縮性の発現が抑制された非伸縮部を有している前記＜１＞〜＜２０＞の何れか１に記載のパンツ型吸収性物品。
＜２２＞前記外包体腹側領域（前記腹側部）の胴回り部においては、前記外包体形成用弾性部材は前記非伸縮部では伸縮せず、前記吸収性本体（前記吸収性コア）の配置領域（該非伸縮部）を除く、本体長手方向に沿う左右両側部に、一対の胴回りギャザーが形成されている前記＜２１＞記載のパンツ型吸収性物品。
【実施例】
【００５３】
以下、本発明を実施例により更に具体的に説明するが、本発明は斯かる実施例に限定されるものではない。
【００５４】
〔実施例１〕
図１〜図５に示すおむつ１と同様の基本構成を有するパンツ型使い捨ておむつを作製し、これを実施例１のサンプルとした。実施例１においては、前記実施形態と同様に、吸収性コア背側領域５２を本体幅方向Ｙに横断する複数本の弾性部材３３の全てが、該吸収性コア背側領域５２の複数本の幅方向溝部６と本体長手方向Ｘにおいて同位置にあり、背側部Ｂにおいて、複数本の弾性部材３３と複数本の幅方向溝部６とが１対１で対応していた（図６参照）。
【００５５】
実施例１で用いたおむつの構成部材は下記の通り。表面シート２１としては、坪量２５ｇ／ｍ2の液透過性のエアスルー不織布を用いた。裏面シート２２としては、坪量２０ｇ／ｍ2の液不透過性且つ透湿性のポリエチレン製樹脂フィルム（炭酸カルシウム配合）を用いた。吸収体２３としては、フラッフパルプ１５０ｇ／ｍ2と吸水性ポリマー２１０ｇ／ｍ2との均一混合物からなる総坪量３６０ｇ／ｍ2の吸収性コア５の外面を、坪量１６ｇ／ｍ2の液透過性のティッシュペーパーで被覆したものを用いた。この吸収性コア５の本体長手方向の全長は３９０ｍｍ、本体幅方向の全長（最大長さ）は１２０ｍｍであった。外層シート材３５及び内層シート材３６としては、それぞれ、坪量２０ｇ／ｍ2の液透過性のエアスルー不織布を用いた。立体ギャザー形成用のシート材４１としては、裏面シート２２と同じものを用いた。外包体形成用弾性部材３３及び立体ギャザー形成用弾性部材４２としては、それぞれ、直径０．２ｍｍのポリウレタン製の糸状の弾性部材を用い、該弾性部材のシート材３５，３６又はシート材４１への固定は、ホットメルト型接着剤により行った。
【００５６】
実施例１で用いた吸収性コア５の各部の寸法等は下記の通り。
・線状の凹部からなる幅方向溝部６の幅Ｗ１（図５参照）は５ｍｍ。尚、線状の凹部からなる長手方向溝部７の幅は、幅方向溝部６の幅Ｗ１と同じに設定した。
・本体長手方向Ｘに隣接する２本の幅方向溝部６，６の間隔Ｗ２（図６参照）は１８ｍｍ、本体幅方向Ｙに隣接する２本の長手方向溝部７，７の間隔Ｗ３（図６参照）は２５ｍｍ。
・吸収性コア腹側領域５１（腹側部Ａ）及び吸収性コア背側領域５２（背側部Ｂ）それぞれにおける幅方向溝部６の本数は５本。
・長手方向溝部７は、吸収性コア腹側領域５１（腹側部Ａ）から吸収性コア股下領域５３（股下部Ｃ）を通って吸収性コア背側領域５２（背側部Ｂ）に亘って連続的に延びる連続直線状であり、その本数は３本。
・吸収性コア５における区画領域８（高坪量部）の坪量は３６０ｇ／ｍ2、線状の凹部からなる溝部６，７の形成部位（低坪量部。溝部６については図５中符号６０で示す部位。）の坪量は５０ｇ／ｍ2。
・溝部６，７の深さは、それぞれ５ｍｍ。
【００５７】
〔実施例２〕
弾性部材３３と幅方向溝部６とが本体長手方向Ｘにおいて同位置にある箇所と、弾性部材３３と幅方向溝部６とが本体長手方向Ｘにおいて同位置に無い箇所とが、背側部Ｂに混在していた点以外は、実施例１と同様にしてパンツ型使い捨ておむつを作製し、これを実施例２のサンプルとした。
【００５８】
〔比較例１〕
吸収性コア５として、長手方向溝部７は形成されているが幅方向溝部６は形成されていない吸収性コアを用いた以外は実施例１と同様にしてパンツ型使い捨ておむつを作製し、これを比較例１のサンプルとした。
【００５９】
〔比較例２〕
背側シート部材３２（外包体背側領域）に弾性部材３３を配設しなかった以外は実施例１と同様にしてパンツ型使い捨ておむつを作製し、これを比較例２のサンプルとした。
【００６０】
〔評価〕
実施例及び比較例の各サンプル（パンツ型使い捨ておむつ）について、液拡散性を下記方法により評価した。その結果を下記表１に示す。尚、表１中のＷ１やＬ１等の符合は、図中の同一符合に対応したものである。
【００６１】
＜液拡散性の評価方法＞
サンプル（パンツ型使い捨ておむつ）を着用させたアクリル製のベビーモデルを仰向けに寝かせた状態で、４０ｇの人工尿をサンプル（吸収性コア）の中心（おむつ又は吸収性コアの本体長手方向の中央且つ本体幅方向の中央）に注入速度５ｇ／秒で注入し、その状態で５分間放置した後、ベビーモデルからサンプルを脱がし、サンプルの背側部における本体長手方向の外方端（図１中符合１ｂで示す部位）と人工尿の拡散部分との間の本体長手方向に沿った離間距離（液非拡散部長さ）を測定すると共に、背側部において人工尿が拡散していない部分の面積（液非拡散部面積）を測定した。液非拡散部面積は、吸収性コアにおける、人工尿の拡散部分のおむつ外方端１ｂ（図１参照）寄りの長手方向端部から該吸収性コアの該おむつ外方端１ｂ寄りの長手方向端部までの未使用領域（吸収性コアにおける人工尿を吸収保持していない領域）の面積である。前記液非拡散部長さが長いほど、また、前記液非拡散部面積が大きいほど、尿の背側部側への拡散が効果的に抑制され、背側からの漏れ防止性に優れると評価でき、高評価となる。人工尿の組成は次の通り。尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００６２】
【表１】
0005997945.tif 000002
【００６３】
表１に示す通り、実施例１及び２は、何れも比較例１及び２に比して、液非拡散部長さが長く且つ液非拡散部面積が大きく、従って、尿の背側部側への拡散が効果的に抑制され、背側からの漏れ防止性に優れる結果となった。比較例１においては、背側シート部材３２（外包体背側領域）の外包体形成用弾性部材３３が、吸収性コア背側領域５２を本体幅方向Ｙに横断しているものの、該吸収性コア背側領域５２に本体幅方向Ｙに延びる線状の幅方向溝部６が形成されていないため、比較例１は、実施例１及び２に比して漏れ防止性に劣る結果となったと推察される。また、比較例２においては、吸収性コア背側領域５２に本体幅方向Ｙに延びる線状の幅方向溝部６が形成されているものの、背側シート部材３２に外包体形成用弾性部材３３が配設されておらず、該吸収性コア背側領域５２を本体幅方向Ｙに横断する外包体形成用弾性部材が存在していないため、比較例２は、実施例１及び２に比して漏れ防止性に劣る結果となったと推察される。以上のことから、パンツ型使い捨ておむつの如きパンツ型吸収性物品において、着用者の背側に対するフィット性を高め、背側からの漏れを効果的に防止するためには、吸収性コア背側領域に、本体幅方向に延びる線状の幅方向溝部が形成され、且つ外包体背側領域の外包体形成用弾性部材が、該吸収性コア背側領域を本体幅方向に横断していることが有効であることがわかる。
【符号の説明】
【００６４】
１  パンツ型使い捨ておむつ（パンツ型吸収性物品）
２  吸収性本体
３  外包体
４  立体ギャザー
５  吸収性コア
６  幅方向溝部
７  長手方向溝部
８  区画領域
２１  表面シート
２２  裏面シート
２３  吸収体
３１  腹側シート部材（外包体腹側領域）
３２  背側シート部材（外包体背側領域）
３３  外包体形成用弾性部材
３５  外層シート材
３６  内層シート材
５１  吸収性コア腹側領域
５２  吸収性コア背側領域
６０  吸収性コアにおける幅方向溝部の形成部位
Ａ  腹側部
Ｂ  背側部
Ｃ  股下部
Ｄ  ウエスト部
Ｅ  胴回り部
Ｘ  本体長手方向
Ｙ  本体幅方向
【図１】
0005997945.tif 000003
【図２】
0005997945.tif 000004
【図３】
0005997945.tif 000005
【図４】
0005997945.tif 000006
【図５】
0005997945.tif 000007
【図６】
0005997945.tif 000008
【図７】
0005997945.tif 000009